(57)【要約】【課題】  本発明は、停電時の状況に応じて外部機器に供給するバッテリー直流電源をきめ細かく制御でき、供給時間の長時間化をはかることができる無停電コンバーターを得ることにある。  【解決手段】  商用電源１を直流に変換するＡＣ／ＤＣコンバーター２と、当該ＡＣ／ＤＣコンバーター２で得られた直流を蓄電するバッテリー３と、商用電源１の停電監視制御とバッテリー３の残容量監視とプッシュボタンスイッチ５の操作による出力制御とパイロットランプ６の点滅によるバッテリー残容量表示を行う制御部４とで無停電コンバーターを構成している。 【選択図】      図１
2013172508.tif 000002
【特許請求の範囲】
【請求項１】
商用電源１を直流に変換するＡＣ／ＤＣコンバーター２と、当該ＡＣ／ＤＣコンバーター２で得られた直流を蓄電するバッテリー３と、商用電源１の停電監視とプッシュボタンスイッチ５の操作監視を行う制御部４とから構成し、停電時には、無停電コンバーターの出力をＡＣ／ＤＣコンバーター２からバッテリー３に切り替えると共に、前記プッシュボタンスイッチ５の操作で、出力をＯＮ状態またはＯＦＦ状態またはＰＷＭ状態に設定できることを特徴とした無停電コンバーター
【請求項２】
停電時には、あらかじめ設定した時間、出力が自動的にＯＮ状態になり、その後、ＯＦＦ状態になることを特徴とした前記請求項１に記載の無停電コンバーター
【請求項３】
商用電源１を直流に変換するＡＣ／ＤＣコンバーター２と、当該ＡＣ／ＤＣコンバーター２で得られた直流を蓄電するバッテリー３と、商用電源１の停電監視とバッテリー３の容量監視とパイロットランプ６の点滅制御を行う制御部４とから構成し、停電時には、無停電コンバーターの出力をＡＣ／ＤＣコンバーター２からバッテリー３に切り替えると共に、バッテリー３の残容量をパイロットランプ６の複数種類の点滅状態で示すことを特徴とした無停電コンバーター
【発明の詳細な説明】
【技術分野】
【０００１】
本発明は、商用電源の停電等の非常時に、バッテリーに蓄電された直流電源を供給する無停電コンバーターに関する。
【背景技術】
【０００２】
従来の無停電コンバーターは、商用電源を直流に変換するＡＣ／ＤＣコンバーターと、当該ＡＣ／ＤＣコンバーター出力の直流を蓄電するバッテリーと、商用電源の停電検出時に、ＡＣ／ＤＣコンバーター出力をバッテリー出力に切り替える制御部とから構成されている。
【０００３】
このような無停電コンバーターの電力供給時間は、バッテリーの充電量と当該無停電コンバーターに接続する外部機器の消費電流によって左右される。
【０００４】
停電時の電力供給時間を長くすることは極めて重要なことで、この供給時間を確保する手段として、バッテリーの充電量と供給時間とから出力電流を一定に制御する例が報告されている（例えば、特許文献１参照）。
【０００５】
ところが、このような出力電流を一方的に一定値に制御する方法は、接続した外部機器が駆動電流不足で正常に動作しないという問題等が発生する。
【先行技術文献】
【特許文献】
【０００６】
【特許文献１】特開２０００−２７７２７５号公報
【発明の概要】
【発明が解決しようとする課題】
【０００７】
本発明は、以上のような従来の欠点に鑑み、外部機器を必要に応じて正常に動作させつつ、電力供給時間を極力長くできる無停電コンバーターを供給する事を目的としている。
【課題を解決するための手段】
【０００８】
上記目標を達成するために、本発明は、商用電源を直流に変換するＡＣ／ＤＣコンバーターと、当該ＡＣ／ＤＣコンバーターで得られた直流を蓄電するバッテリーと、停電を検出したら無停電コンバーターの出力をＡＣ／ＤＣコンバーターからバッテリーに切り替え、一定時間出力をＯＮ状態にすると共に、プッシュボタンスイッチによる出力状態制御と、バッテリーの残容量を示すパイロットランプの点滅制御を行う制御部とで無停電コンバーターを構成している。
【０００９】
停電時の一定時間の出力ＯＮは、災害時等における停電初期の混乱の回避とバッテリーのムダな消耗を防止できる。
【００１０】
プッシュボタンスイッチ制御は、無停電コンバーターの出力をＯＮ状態にしたり、ＯＦＦ状態にしたり、ＰＷＭ（高速ＯＮ，ＯＦＦ切り替え）状態にしたり、きめ細かな出力制御ができる。
【００１１】
パイロットランプ制御は、バッテリーの残容量を複数種類の点滅状態で示し、バッテリー残容量の可視化になる。
【発明の効果】
【００１２】
以上の説明から明らかなように、本発明にあっては、商用電源を直流に変換するＡＣ／ＤＣコンバーターと、当該ＡＣ／ＤＣコンバーターで得られた直流を蓄電するバッテリーと、停電を検出したら無停電コンバーターの出力をＡＣ／ＤＣコンバーターからバッテリーに切り替えると共に、プッシュボタンスイッチによる出力状態のＯＮ、ＯＦＦ、ＰＷＭ制御と、バッテリーの残容量監視とその結果をパイロットランプの点滅で示す点滅制御を行う制御部とで無停電コンバーターを構成しているので、バッテリーの残量をパイロットランプの点滅状態で確認しながらプッシユボタンスイッチで外部機器の運転状態を選択できるので、停電時に限られたバッテリー容量で長時間の電源供給ができる。
【図面の簡単な説明】
【００１３】
【図１】本発明の実施の形態１に係る無停電コンバーターの概略構成を示すブロック図
【図２】本発明の実施の形態２に係る無停電コンバーターの概略構成を示すブロック図
【発明を実施するための形態】
【００１４】
以下、本発明の実施の形態を図に基づいて説明する。
【実施例１】
【００１５】
図１は、本発明装置の実施例1の概略構成を示すブロック図である。
【００１６】
商用電源１は、ＡＣ／ＤＣコンバーター２によって直流に変換されて、バッテリー３に充電される。
【００１７】
制御部４の第１の機能として停電監視があり、停電時には、出力をＡＣ／ＤＣコンバーター２からバッテリー３に切り替え、停電直後には、あらかじめ設定された時間、出力をＯＮ状態にする。
【００１８】
制御部４の第２の機能としてプッシュボタンスイッチ５の監視があり、例えば、短押し操作毎に出力をＯＮ状態とＯＦＦ状態に切り替え、長押しでＰＷＭ状態にする。
【００１９】
制御部４の第３の機能として、バッテリー３の残容量監視があり、その結果をパイロットランプ７の点滅状態で示す。例えば、満タン時のゆっくり点滅から残容量極少の高速点滅まで段階的に点滅制御する。
【実施例２】
【００２０】
図２は、本発明装置の実施例２の概略構成を示すブロック図である。
【００２１】
この実施例は、外部機器としてＬＥＤ照明灯７を接続したもので、特に、災害による停電時に本発明の効果が最大限に発揮される。
【００２２】
すなわち、停電時に、いったんＬＥＤ照明灯７が自動的に点灯状態になるので、災害直後の混乱が回避でき、その後、現場の状況とパイロットランプ６に示されたバッテリー３の残容量に応じて、最適の照明状態を得ることができる。例えば、プッシュボタンスイッチ５を長押ししてＰＷＭ状態にすることにより、適度な明るさを保ちながら長時間照明ができる。
【産業上の利用可能性】
【００２３】
本発明は、無停電コンバーターを製造する産業で利用される。
【符号の説明】
【００２４】
１  商用電源
２  ＡＣ／ＤＣコンバーター
３  バッテリー
４  制御部
５  プッシュボタンスイッチ
６  パイロットランプ
７  ＬＥＤ照明灯
【図１】
2013172508.tif 000003
【図２】
2013172508.tif 000004